(57)【要約】【課題】例えば、長尺な樋の前面に取り付けることで、樋の外観のデザインを変更可能な長尺な化粧部材を容易に樋に取り付けられるようにする。【解決手段】化粧部材２０は、前壁部１５と、当該前壁部１５の下側縁部から後方に延出する後壁部１４を備えた樋８ｄに取り付けられる。化粧部材２０は、前壁部１５の前面を覆うように配置される化粧部材本体２１と、化粧部材本体２１の前壁部１５の上側縁部から前壁部１５の背面側を下方に向かって延出する取付板２２とを備える。取付板２２は、取付板２２から前壁部１５の背面に向かって延出してこの背面に当接することにより、化粧部材本体２１との間に前壁部１５を挟持する押圧片４０を有する。化粧部材本体２１は、化粧部材本体２１の前壁部１５の下側縁部から後壁部１４の下面に当接した状態で押圧片４０の前端よりも後方に延出する係合片３１を有する。【選択図】図３
2008214874.tif 000002
【特許請求の範囲】
【請求項１】
前壁部と、当該前壁部の一方の側縁部から後方に延出する後壁部を備えた建材の前面を装飾する化粧部材であって、
前記前壁部の前面を覆うように配置される化粧部材本体と、
当該化粧部材本体の前記前壁部の一方の側縁部の反対側となる他方の側縁部から前記前壁部の背面側を当該前壁部の一方の側縁部に向かって延出して設けられるとともに弾性変形可能な取付板とを備え、
前記取付板は、当該取付板から前記前壁部の背面に向かって延出して当該背面に当接することにより、前記化粧部材本体との間に前記前壁部を挟持する押圧片を有し、
前記化粧部材本体は、当該化粧部材本体の前記前壁部の一方の側縁部側となる側縁部から前記後壁部の外面に当接した状態で前記押圧片の前端よりも後方に延出する係合片を有することを特徴とする化粧部材。
【請求項２】
前記取付板の前記化粧部材本体の他方の側縁部側となる基端部から前記押圧片までの間に、前記取付板から前記前壁部の背面に延出する少なくとも１つの係止片が設けられ、
前記前壁部の他方の側縁部が、前記取付板の前記基端部および前記係止片のうちの一方に当接していることを特徴する請求項１に記載の化粧部材。
【発明の詳細な説明】
【技術分野】
【０００１】
本発明は、建材の表面を装飾する化粧部材に関する。
【背景技術】
【０００２】
例えば、住宅等に用いられる建具においては、当該建具を選択する際に、その意匠性が重要な基準の１つとなる。
また、他社の建材（商品）との差別化を図るためには、同種の建材でも多様なデザインの商品を取り揃えておくことが望まれるが、この場合に多品種少量生産となって、製造コストが高くなってしまう。
【０００３】
そこで、建材の表面に色違いやデザイン違いの化粧部材を取り付けることで、建材のデザインを多様なものとすることが考えられる。例えば、長尺な建材（主体部）の表面部に、長尺な建材の長手方向に沿って長尺な補助部材（化粧部材）を差し入れ可能とし、この補助部材として、例えば、様々な色の補助部材を取り揃え、差し入れる補助部材により、デザインを変更可能なものが知られている（特許文献１参照）。
【０００４】
【特許文献１】特開２００４−２７８０９７号公報（図４）
【発明の開示】
【発明が解決しようとする課題】
【０００５】
ところで、例えば、化粧部材が取り付けられていないシンプルなデザインの建材をそのまま使用可能とするとともに、この建材のオプション部品として、化粧部材を取り揃え、購入者の希望に応じて、建材に化粧部材を取り付けることでデザインを変更可能とすることも考えられる。
この場合に、上述のように建材の主体部にその長さ方向に沿って化粧部材となる補助部材を差し入れ可能とした場合に、補助部材を用いないと、主体部の補助部材を差し入れ可能とした構造が露出してしまうことになり、建材を化粧部材無しで使用することができない。
【０００６】
また、主体部を覆うように補助部材を主体部の長さ方向に沿って差し入れ可能とする場合に、補助部材側に主体部に係合する構造を設け、主体部には補助部材を係合する構造を設けないのであれば、主体部単体でもシンプルなデザインの建材として使用可能とすることも可能である。
しかし、この場合に、現場で建材に化粧部材を後付けすること、すなわち、完成しているか否かに拘わらず既に取り付けられた状態の建材に化粧部材を取り付けようとすると、建材が長尺な部材の場合に、長尺な建材にその長さ方向に沿って長尺な化粧部材を取り付けることが困難となる可能性がある。また、取り付け可能であっても、作業性が極めて悪いものとなる。
【０００７】
すなわち、工場等で、建材に化粧部材を長さ方向に沿って差し入れるように取り付けることは比較的簡単であるが、現場では、建材の取付位置や隣接する建物等の状況によって、作業性が極めて悪い状態となったり、取付作業ができない状態となったりする。
したがって、長尺な建材に長尺な化粧部材を後付けする場合には、長手方向から差し入れるのではなく、長手方向と直交する方向から取り付け、化粧部材を建材にビス止めするなどの必要がある。この場合も複数のビス止め作業があることから、必ずしも作業性が良いとは言いづらく、長尺な建材に長尺な化粧部材を後付けする場合に作業性の良い構造の化粧部材が望まれていた。
【０００８】
本発明はこのような事情に鑑みてなされたもので、長尺な建材に長尺な化粧部材を容易に取付可能な化粧部材を提供することを目的とする。
【課題を解決するための手段】
【０００９】
前記目的を達成するために、請求項１に記載の化粧部材は、前壁部と、当該前壁部の一方の側縁部から後方に延出する後壁部を備えた建材の前面を装飾する化粧部材であって、
前記前壁部の前面を覆うように配置される化粧部材本体と、
当該化粧部材本体の前記前壁部の一方の側縁部の反対側となる他方の側縁部から前記前壁部の背面側を当該前壁部の一方の側縁部に向かって延出して設けられるとともに弾性変形可能な取付板とを備え、
前記取付板は、当該取付板から前記前壁部の背面に向かって延出して当該背面に当接することにより、前記化粧部材本体との間に前記前壁部を挟持する押圧片を有し、
前記化粧部材本体は、当該化粧部材本体の前記前壁部の一方の側縁部側となる側縁部から前記後壁部の外面に当接した状態で前記押圧片の前端よりも後方に延出する係合片を有することを特徴とする。
【００１０】
また、請求項２記載の化粧部材は、請求項１に記載の発明において、
前記取付板の前記化粧部材本体の他方の側縁部側となる基端部から前記押圧片までの間に、前記取付板から前記前壁部の背面に延出する少なくとも１つの係止片が設けられ、
前記前壁部の他方の側縁部が、前記取付板の前記基端部および前記係止片のうちの一方に当接していることを特徴する。
【発明の効果】
【００１１】
請求項１記載の化粧部材によれば、前壁部とその一側縁部から後方に延出する後壁部を有する建材に、前壁部の前面を装飾する化粧部材を取り付ける場合に、前壁部の他側縁部を化粧部材の化粧部材本体と押圧片との間に押し込んだ状態で、化粧部材を前壁部の一側縁部側に移動させることで、前壁部に化粧部材を被せた状態とすることになるが、この際に、押圧片の前端より後方に延出する係合片の後端部が前壁部の前面に沿って他側縁部から一速縁部に移動することになる。
【００１２】
この際に、押圧片の前端部が前壁部の背面側にあり、係合片より後側に配置される。これは、押圧片を有する取付板が大きく弾性変形することで、本来、係合片の後端より前にあるはずの押圧片の前端が係合片の後端より後ろとなっているものである。
そして、化粧部材が建材の取付位置に達すると、係合片が後壁部の外面に沿って押圧片の前端より後ろに延出した状態となることで、押圧片を有する取付板の弾性変形の少なくとも一部が解除される。
【００１３】
この状態では、前壁部が化粧部材の係合片と、化粧部材本体の他側縁部側の取付板との接合部との間に配置され、化粧部材本体と押圧片との間に前壁部が挟まれた状態となる。この状態は、取付板が大きく弾性変形しておらず、前壁部がほぼ化粧部材に覆われた状態で安定した状態となる。
【００１４】
以上のように建材に化粧部材が取り付けられた状態で、化粧部材を建材から取り外そうとすると、化粧部材を前に引っ張り、係合片の後端部が前壁部の前面に来るようにし、この状態で化粧部材を前壁部の他側縁部側に引っ張る必要がある。この際には、化粧部材を取り付ける場合と同様に取付板が大きく弾性変形することになり、取付板を大きく弾性変形するための力がいることになる。また、上述のように安定した状態から、取付板を多く弾性変形させて、係合片を前壁部の前面側に持ってくる必要があることから、例えば、化粧部材の荷重や、強風等で化粧部材が前壁部から取り外されることはなく、化粧部材が安定して建材に取り付けられた状態となる。
【００１５】
この場合に、一方の側縁部から他方の側縁部に向かう方向と直交する方向に建材が長いものとしても、同じ方向に長い化粧部材を長手方向にそって差し込むわけではないので、作業性が向上する。また、上述のように建材に化粧部材が安定的に取り付けられることから建材に化粧部材をビス止めするような作業が必要なく、容易かつ簡便に建材に化粧部材を取り付けることができる。
【００１６】
また、請求項２記載の化粧部材によれば、前壁部の一方の側縁部側の後壁部の外面に前壁部の一方の側縁部側となる係合片が当接した状態で、前壁部の他方の側縁部が化粧部材本体の他方の側縁部側の取付板との接合部に当接していれば、前壁部が化粧部材の上下側縁部に挟まれた状態となり、安定して建材に化粧部材が取り付けられた状態となる。しかし、この場合には、前壁部の一側縁部から他側縁部までの長さと、化粧部材本体の一側縁部の長さとが略等しくなっている必要があり、前壁部の一側縁部から他側縁部までの長さが異なる建材に化粧部材を取り付けることができなくなる。
【００１７】
そこで、記化粧部材本体の他方の側縁部側との接合部から前記押圧片までの間に、前記取付板から前記前壁部の背面に延出する少なくとも１つの係止片を設け、この係止片に前壁部の他側縁部を当接させる状態とすれば、係止片と係合片との間に前壁部が挟まれた状態となり、安定的に建材に化粧部材を取り付けることができる。
【００１８】
このようにすれば、化粧部材は、前壁の前記長さが、係止片と係合片との距離に対応する建材と、前記接合部と係合片との距離に対応する建材との二種類の建材に対応することができる。また、化粧部材に位置の異なる係止片を複数設けるものとすれば、三種類以上の建材にも対応することができる。
【発明を実施するための最良の形態】
【００１９】
以下、添付した図面を参照しながら、本発明の実施の形態を説明する。
なお、本実施形態においては、本発明の建材として、テラス、バルコニー、カーポート等に設置される簡易屋根の屋根面の先端部を構成するとともに樋を備えた前枠を例に上げている。
そして、この例では、前枠の樋となる部分の前壁部に本発明の化粧部材を適用している。
【００２０】
図１および図２は、化粧部材２０が取り付けられる前枠８を有した簡易屋根１を示すものである。
図１および図２に示すように、簡易屋根１は、建物の外壁面に固定されて屋根の基端部側を支持する垂木掛け２と、屋根の先端部を支持する複数の支柱３と、屋根面の傾斜方向に対して直交する方向に延在して、屋根パネル７同士の前後の接合部を支持する中間支持部材４と、前記垂木掛け２および支柱３に支持され、屋根面の傾斜方向に沿って延在して配置され、かつ、屋根面の傾斜方向に直交する方向に間隔をあけて並んで複数配置される垂木５と、屋根面の傾斜方向に直交する方向に沿って垂木５間に架け渡されて配置される野縁６と、垂木５と野縁６と中間支持部材４とに支持されるとともに屋根面を構成する屋根パネル７（図２に図示）と、垂木５の先端部に取り付けられて屋根面の先端部を構成するとともに前記支柱３に接続される前枠８とを備える。
【００２１】
前記垂木掛け２は、外壁面の屋根の基端部となる高さ位置に水平に延在して固定され、垂木５の基端部が接続されて支持されるようになっている。また、垂木掛け２は、外壁面を構成する縦材や柱等に固定されている。
支柱３は、基本的に屋根の先端部を支持する。ここでは、支柱３は前枠８を介して垂木５の先端部を支持している。
【００２２】
前記垂木５は、隣り合う垂木５同士の間に屋根パネル７を支持可能となっている。また、この例において、上述のように屋根面が湾曲していることから、垂木５も湾曲したものとなっている。なお、垂木５として、直線状のものを用い、屋根面が直線状であってもよい。そして、垂木５の基端部は、前記垂木掛け２に固定されている。また、垂木５の先端部には、前枠８が固定され、前枠８に支柱３が固定されている。なお、垂木５の先端部より後方に屋根面の傾斜方向に直交する桁材を配置し、桁材に支柱３を取り付ける構造としてもよい。
【００２３】
垂木５の側面には野縁６の端部が接合される。
野縁６は、並んで配置される２本の垂木５同士の間に配置され、両端部がそれぞれ垂木５に接合されている。そして、垂木５同士の間で屋根パネル７を支持するようになっている。
屋根パネル７は、例えば、アクリルやポリカーボネート等の透明樹脂板である。そして、屋根パネル７の左右の側縁部は、垂木５と垂木カバー９とに挟まれた状態で保持されている。屋根パネル７の前後の側縁部は、前枠８、中間支持部材４、垂木掛け２のいずれかに支持される。なお、屋根パネル７は、中間支持部材４の前側と、後側とに分けられている。
【００２４】
前枠８は、垂木５の先端部に取り付けられる取付部８ａと、屋根パネル７の先端部を保持するパネル保持部８ｂと、屋根の先端部を構成する本体部８ｃと、屋根面が最も低くなる先端に取り付けられて、屋根面上に降った雨水を流すための樋８ｄとが一体に形成されている。
本体部８ｃの下面側には、支柱３が取り付けられるようになっている。
【００２５】
また、本体部８ｃの屋根面の外側となる部分に隣接して樋８ｄが設けられている。
樋８ｄは、底部となる後壁部１４と、その前縁側に立設される前壁部１５とを有し、本体部８ｃと前壁部１５との間の後壁部１４上に雨水を流すようになっている。また、この例では、前壁部１５は円弧状に湾曲した形状とされるが、必ずしも湾曲しているものに限られるものではなく、前壁部１５が直線状となっていたり、複数箇所で屈曲させることで、多角形の一部のような形状をしていてもよい。
また、樋８ｄには、雨水を流下させるための図示しない縦樋に繋がる接続管１１が接続されている。
【００２６】
以上のような簡易屋根１における前枠８の前壁部１５と、当該前壁部１５の一方の側縁部（下側縁部）から後方に延出する底部としての後壁部１４を備えた建材である前枠８（樋８ｄ）の前面を装飾する化粧部材２０について以下に説明する。
化粧部材２０は、図３に示すように、樋８ｄの前壁部１５の前面を覆うように配置される化粧部材本体２１と、当該化粧部材本体の前壁部１５の一方の側縁部（下側縁部）の反対側となる上側縁部から前記前壁部１５の背面側を当該前壁部１５の下側縁部に向かって延出して設けられるとともに弾性変形可能な取付板２２と、化粧部材本体２１の前面側に当該化粧部材本体２１の長さ方向に沿って差し入れられる補助化粧部材２３とを備えている。
また、化粧部材２０は、アルミの押出し型材からなるものであり、上述の化粧部材本体２１、取付板２２、補助化粧部材２３の三つの押出し型材を組み付けて構成されている。
【００２７】
なお、図１〜図３等において、取付板２２の一部が前壁部１５や化粧部材本体２１と重なって図示されているが、これは、取付板２２の弾性変形前の状態を図示したもので、実際には、取付板２２は前壁部１５の背面側に弾性変形して配置され、取付板２２は、前壁部１５および化粧部材本体２１と重ならない状態に配置される。
【００２８】
化粧部材本体２１は、樋８ｄの前壁部１５とほぼ同じ左右長さを有するものである。すなわち、簡易屋根の左右幅と略同様の長さを有する長尺な部材となっている。
また、化粧部材本体２１は、概略断面弓状（弧状）の形状を有するものとなっている。
そして、化粧部材本体２１は、当該化粧部材本体２１の前壁部１５の一方の側縁部（下側縁部）側となる一方の側縁部（下側縁部）から後壁部１４の外面（下面）に当接した状態で後述の取付板２２の押圧片４０の前端よりも後方に延出する係合片３１を有する。
【００２９】
化粧部材本体２１は、当該化粧部材本体２１の前壁部１５の他方の側縁部（上側縁部）側となる側縁部（上側縁部）が前壁部１５の上端部を越えて前壁部の前から後側に回り込むように湾曲して形成されている。
そして、この化粧部材本体２１の上側縁部は、その内側に取付板２２の上端部を係合する係合部３２となっている。そして、化粧部材本体２１の上側縁は、前壁部１５の背面側に回りこむとともに下方に突出した状態となることで、化粧部材本体２１の上側縁より僅かに手前側（化粧部材本体２１の上下方向の中央部側）で前壁部１５の前面側に配置される部分と対向した状態となっている。
【００３０】
前記係合部３２には、化粧部材本体２１の上側縁より僅かに手前側の部分の背面（内面）側、すなわち、前壁部１５側に、後方側（前壁部１５側）に突出する係合突起３３が設けられている。
そして、取付板２２の化粧部材本体２１に接合される上側縁部が、後述のように前側に屈曲して被係合部４１とされ、この被係合部４１の先端が係合突起３３と化粧部材本体２１の前記係合突起３３と隣接する先端側部分との間に挟持された状態に保持されている。
【００３１】
また、取付板２２の被係合部４１は、化粧部材本体２１の係合部３２おいて、前記係合突起３３と化粧部材本体２１の上側縁との間に挟持された状態に保持されるようになっている。
また、化粧部材本体２１に取付板２２を取り付ける際には、化粧部材本体２１の一方の端面側において、化粧部材本体２１の係合部３２の内面側に取付板２２の被係合部４１を挿入し、互いの軸方向に沿って重なるように移動させることで差し込めるようになっている。なお、後述のように取付板２２は、化粧部材本体２１より短いものとなっている。
【００３２】
また、化粧部材本体２１の前面に、補助化粧部材２３を装着するための凹部３４が形成されている。凹部３４は、概略断面弓状の化粧部材本体２１の中央部部分が後方に突出した状態とされることで形成されている。
この例では、化粧部材本体２１の上下方向の略中央部に上に向かうにつれて後方に向かうようにされた凹部３４の底となる凹底部３５が設けられ、凹底部３５の上端部から前方に突出する上閉塞部３６が設けられることで、この凹底部３５および上閉塞部３６が化粧部材本体２１の背面側に直角三角形上に突出し、その前側が凹部３４となっている。
【００３３】
また、凹底部３５および上閉塞部３６は、化粧部材本体２１の長さ方向に沿うとともに化粧部材本体２１の長さに渡って形成されるもので、凹部３４は、化粧部材本体２１の長さ方向に沿う溝状に形成されている。
また、凹底部３５の中央には、断面Ｌ字状に突出する下係止部３７が化粧部材本体２１の長さに渡って延在して形成されている。
【００３４】
また、凹部３４の上側縁部において、化粧部材本体２１の前面を構成する部分が前記上閉塞部３６より下方に延出（延長）した状態となっており、凹部３４の上部において、凹底部３５と、概略弓状の化粧部材本体２１の前面を構成する部分とが前後２重に配置された状態となっており、この上閉塞部３６より下方に延出する部分が上係止部３８となっている。
【００３５】
また、化粧部材本体２１の背面の前記凹底部３５より下側には、当接リブ３９が後方に突出して設けられ、当接リブ３９の後端部は上に屈曲した上体となっている。そして、前壁部１５の前に化粧部材本体２１を配置した場合に、凹底部３５の上部の背面と、当接リブの屈曲した後端部とが前壁部１５の前面に当接するようになっている。
【００３６】
前記取付板２２は、上端部が化粧部材本体２１の係合部３２に係合される被係合部４１とされ、被係合部４１から下方に延出する取付本体部４２と、取付本体部４２から前側に屈曲する押圧片４０と、押圧片４０の最も前に延出した部分から下に向かうにつれて後方に向かうように斜めに延出する受入片４３と、取付本体部４２の被係合部４１と押圧片４０との間から前に延出する係止片４４とを備える。なお、取付板２２の被係合部４１が化粧部材本体２１の上側縁部に接合される接合部となるとともに、取付板２２の基端部となり、押圧片４０および受入片４３とが取付板２２の前壁部の一側縁部側に向かって形成された先端部となる。
【００３７】
被係合部４１は、化粧部材本体２１の係合部３２の内側面に略沿って概略水平に配置されている。そして、被係合部４１は、上述のように化粧部材本体２１の係合部３２の内側面側で、係合部３２の前側の係合突起３３と後側の化粧部材本体の上側縁との間に挟まれた状態に保持されている。
そして、被係合部４１の後端部から下方に向かって延出して取付本体部４２が設けられている。
【００３８】
取付本体部４２は、化粧部材２０を前壁部１５を有する建材としての樋８ｄに取り付けた状態で被係合部４１の後端部から前壁部１５の上下方向の長さの半分程度まで下方に延出して形成されている。また、取付本体部４２は、その上端部が前壁部１５の上端部に当接するが、上端部より下側は、前壁部１５から離間した状態となっている。
そして、取付本体部４２の下端部が前側に屈曲して押圧片４０に繋がり、押圧片４０が前側に延出して形成されている。
【００３９】
そして、押圧片４０は、取付板２２を化粧部材本体２１に取り付けた状態で、化粧部材本体２１の凹底部３５の上下の中央部より僅かに下側と重なる位置となるが、取付板２２を化粧部材本体２１に取り付けた状態では、押圧片４０が凹底部３５の背面に当たって、取付板２２が弾性変形することにより、凹底部３５より後方に位置し、さらに、化粧部材２０を前壁部１５を有する樋８ｄに取り付けた状態では、前壁部１５の背面に当たって、前壁部１５より後方に弾性変形した状態となる。
【００４０】
また、押圧片４０の前端部から上述のように斜め下方に延出して受入片４３が設けられている。そして、受入片４３は、押圧片４０より長く、その下端部が取付本体部４２より後方に延出した状態となっている。
この受入片４３は、化粧部材２０を樋８ｄの前壁部１５部分に取り付けるために、化粧部材本体２１と取付板２２との間に前壁部１５を挿入した状態とする際に、相対的に前壁部１５の上側縁部を化粧部材本体２１の凹底部３４と押圧片４０とが当接する部分に案内することにより、化粧部材２０を下方に押し下げた際に、取付板２２の弾性変形による取付板２２の押圧片４０を化粧部材本体２１側に付勢する付勢力に抗して、化粧部材本体２１の凹底部３４と取付板２２の押圧片４０との間に前壁部１５の上端部が入り込むようにしている。
【００４１】
前記係止片４４は、取付板２２の被係合部４１と押圧片４０との間となる位置で、取付本体部４２から前方に延出している。また、係止片４４の先端部は、下側に屈曲した状態となっている。そして、係止片４４の先端部は、取付板２２を化粧部材本体２１に取り付けた状態で、その先端部が凹底部３５の上端部の背面に当接した状態となる。ここで、図１〜図３等に示すように、化粧部材本体２１と前壁部１５の上下幅がほぼ同じ場合には、化粧部材２０を樋８ｄの前壁部１５に取り付けた状態で、係止片４４は、前壁部１５上部の背面に当接した状態となる。
【００４２】
この実施形態の化粧部材２０は、図１〜図３に示す簡易屋根１の樋８ｄだけではなく、図５に示す簡易屋根の前枠８の樋８ｄにもと取付可能となっている。この簡易屋根は、図１〜図３に示す簡易屋根が前枠８に支柱３が接合されていたのに対して、前枠８は支柱３に接合されずに、前枠８より僅かに屋根の基端部側に図示しない桁材を屋根の傾斜方向と直交する方向に配置し、該桁材を垂木５に接合するとともに支柱３に接合し、この桁材の部分で簡易屋根の先端部側を支持するようになったものである。
【００４３】
そして、この簡易屋根の前枠８は、支柱３の取付構造が無い以外は、上述の前枠８とほぼ同様の構造を有するものであるが、前壁部１５の上下幅が上述の前枠８より短いものとなっている。そして、前記係止片４４は、この前壁部１５の上下幅に対応して形成されたもので、図５に示す前壁部１５の上下幅が短い樋８ｄの前壁部１５に化粧部材２０を取り付けた場合に、前壁部１５の上端が係止片４４の先端部下面に当接するようになっている。
【００４４】
これにより、この化粧部材２０は、２つの上下幅の異なる前壁部１５を有する２種類の建材に対応可能となっている。すなわち、この化粧部材２０は、前壁部１５の上下幅が化粧部材２０の下端部の係合片３１から上端部の被係合部４１に至るものと、前壁部１５の上下幅が化粧部材２０の下端部の係合片３１から上部の係止片４４に至るものとの二種類の上下幅の異なる前壁部１５に対応することができる。
ここで、上下幅の長い前壁部１５に対しては、化粧部材２０下端部の係合片３１と上端部の被係合部４１とが前壁部１５の上下を挟むように配置されることで、前壁部１５に化粧部材２０が安定して支持された状態となるとともに、上下幅の短い前壁部１５に対しては、化粧部材２０下端部の係合片３１と上部の係止片４４とが前壁部１５の上下を挟むように配置されることで、前壁部１５に化粧部材２０が安定して支持された状態となる
【００４５】
なお、基本的には、化粧部材本体２１と弾性変形により化粧部材本体２１側に付勢された状態となる取付板２２の押圧片４０との間に前壁部１５が挟まれることで、前壁部１５に化粧部材２０が支持されるが、上述のように前壁部１５の上下を挟むことにより、より安定して前壁部１５に化粧部材２０が支持されることになる。
【００４６】
また、この例では、二種類の上下幅の異なる前壁部１５に化粧部材２０が対応可能となっているが、係止片４４の上下いずれかもしくは両方にさらに係止片４４を設けることで、さらに多くの上下幅の異なる前壁部１５に対応することができる。
また、この例において、化粧部材本体２１が簡易屋根１（樋８ｄ）の左右長さに対応して長尺なものとなっているのに対して、取付板２２は、それよりもかなり短いものとなっている。そして、取付板２２は、例えば、化粧部材本体２１の左右の二箇所に配置されて、前壁部１５を化粧部材本体２１との間に挟むことで、化粧部材２０を安定して前壁部１５を有する建材に取り付け可能となっている。なお、取付板２２を左右二箇所より多く配置してもよい。
【００４７】
図３に示すように、補助化粧部材２３は、化粧部材本体２１の凹部３４を塞ぐとともに、化粧部材本体２１の前面に配置されて装飾材として機能する補助化粧板５１と、化粧部材本体２１の凹部３４に設けられた下係止部３７と上係止部３８とに係合して化粧部材本体２１に補助化粧部材２３を取り付ける差込部５２とを備えている。
補助化粧板５１は、この例において概略弓状の化粧部材本体２１前面の凹部３４を塞いで、化粧部材本体２１の前面を弓状の曲面とするとともに、各種の色に塗装された色違いのものが取り揃えられたものである。
【００４８】
これにより、化粧部材本体２１に取り付ける補助化粧部材２３の補助化粧板５１の色によって、化粧部材本体２１のデザインを変更できるようになっている。すなわち、この実施形態では、建具に化粧部材本体２１を取り付けることでデザインが変更可能となるとともに、さらに、化粧部材本体２１の補助化粧部材２３を異なるものとすることでデザインが変更されるようになっている。
【００４９】
また、この例では、化粧部材本体２１に補助化粧部材２３を取り付けることで、ストライプ状の模様を付けられるとともに、ストライプ部分の色を変更可能となる。また、補助化粧部材２３からなるストライプ部分は、１つの色に限られるものではなく、ストライプ部分にさらに複数の色で模様があるようなデザインとすることも可能である。
【００５０】
また、補助化粧板５１に表面加工を施すことで、ストライプ部分の質感を異なるものとすることも可能である。また、補助化粧板５１の幅を広くし、化粧部材本体２１の前面を覆うようなものも取り揃えることで、さらにデザインのバリエーションを増やすことも可能である。
【００５１】
差込部５２は、化粧部材本体２１の下係止部３７に係合する断面Ｌ字状の下係止部材５３と、上係止部３８に係止される断面Ｔ字状の上係止部材５４とを備える。下係止部材５３は、断面Ｌ字状の下係止部３７と噛み合うように配置されている。また、下係止部材５３は、補助化粧板５１の上端部から後方に屈曲する部分と、その前後の中央部から上方に延出する部分とからＴ字状とされ、後方に屈曲する部分が凹部３４の凹底部３５に当接し、後方に屈曲する部分の前後の中央部から上方に延出する部分が上係止部３８の背面に当接することで、上係止部３８に係合した状態となっている。
【００５２】
また、差込部５２の下係止部材５３の下端部から上係止部材５４の上端部までの上下幅は、化粧部材本体２１の下係止部３７から上係止部３８までの間隔より広くなっており、化粧部材本体２１の下係止部３７と上係止部３８との間から差込部５２が抜けないようになっている。
そして、化粧部材本体２１に補助化粧部材２３を取り付ける場合には、化粧部材本体２１の左右端面のうちの一方の端面の下係止部３７と上係止部３８との間に差込部５２を差し入れ、化粧部材本体２１と補助化粧部材２３とを軸方向に互いに重なるように移動させることで、化粧部材本体２１に補助化粧部材２３が差し込まれた状態となる。
【００５３】
次に以上のような化粧部材２０の樋８ｄの前壁部１５への取り付け方法を説明する。図６に示すように、まず、化粧部材本体２１に取付板２２を取り付ける。
化粧部材本体２１への取付板２２の取り付けは、例えば、化粧部材２０の製造工場等において、現場に化粧部材２０が搬入される前に行ってもよいが、長尺な化粧部材本体２１に対して取付板２２が短いものとなっているので、現場で化粧部材本体２１に取付板２２を取り付ける作業が困難なものとなることはなく、現場で化粧部材本体２１に取付板２２を取り付けるものとしてもよい。
なお、図６〜図９に示す化粧部材２０においては、化粧部材本体２１の補助化粧部材２３を取り付ける部分が図１〜図５に示す化粧部材２０と僅かに異なるが、基本的な構造は同様のものとなっている。
【００５４】
図７（ａ）に示すように、化粧部材本体２１の下側縁部の係合片３１と、取付板２２の下側縁部の受入片４３との間に前壁部１５の上端部が配置されるように、前壁部１５の上に化粧部材２０を配置する。次いで、図７（ｂ），（ｃ）に示すように、受入片４３を前壁部１５の上端部に案内された状態で、取付板２２の押圧片４０と化粧部材本体２１との間に前壁部１５の上端部が入り込むように化粧部材２０を斜めにした状態で下側に移動させる。この際に、化粧部材本体２１の下側縁部で後方に延出する係合片３１が前壁部１５の前面側に配置され、取付板２２の押圧片４０は前壁部１５上端部の背面側に配置される。
【００５５】
次に、図８（ａ），（ｂ），（ｃ）に示すように、前壁部１５の前面に化粧部材本体２１の係合片３１を前壁部１５の前面に沿わせた状態で、化粧部材２０を前壁部１５に沿わせて下方に移動する。この際に、係合片３１の後端より前端が前側にある取付板２２の押圧片４０の先端が前壁部１５の背面に当接した状態となる。この段階では、係合片３１と受入片４３との間に前壁部１５を挿入することにより、化粧部材２０がより水平に近い斜めの状態から化粧部材２０が下に移動するにつれて、前壁部１５に沿ってより鉛直に近い斜めへと化粧部材が起き上がるようになる。それにより、係合片３１の後端より前にある受入片４３が前壁部１５の背面に押されて取付板２２が後方に弾性変形する。また、化粧部材が下方に下がり、だんだん鉛直に近づくにつれて、取付板２２の弾性変形量が大きくなる。
【００５６】
そして、図９（ａ）に示すように、取付板の弾性変形量が最も大きくなった際か、未だに最も大きい状態に近い状態で、係合片３１が前壁部１５の下側縁より下となり、係合片３１が前壁部１５の下側縁部から後方に延出する後壁部１４の下側面に沿って後方に移動する。これにより、図９（ｂ）に示すように、係合片３１の後端が押圧片４０の前端より大きく後方に移動し、押圧片４０を有する取付板２２の弾性変形の変形量が小さなものとなる。
【００５７】
そして、図９（ｂ）に示すように、係合片３１の先端部が後壁部１４の下面に沿って配置された状態で、前壁部１５と後壁部１４を有する建材としての樋８ｄ（簡易屋根１の前枠８）に化粧部材２０が取り付けられた状態となる。この際には、僅かに弾性変形した取付板２２の押圧片４０と化粧部材本体２１との間に前壁部１５が前後に挟まれるとともに、上述のように化粧部材本体２１の係合片３１と化粧部材本体２１に取り付けられた取付板２２の被係合部４１（取付板２２の化粧部材本体２１と接合される基端部）との間に前壁部１５が挟まれて安定して化粧部材が建材に取り付けられた状態となる。
【００５８】
この際には、基本的に前壁部１５を化粧部材２０の化粧部材本体２１と取付板２２との間に挟み込むだけの簡便で容易な作業により長尺な樋８ｄに長尺な化粧部材２０を取り付けることができる。
また、この化粧部材２０を建材から取り外す場合には、化粧部材２０と前壁部１５に取り付けた場合と逆となるように、化粧部材２０の係合片３１を後壁部１４の下側にある状態から前側に移動して前壁部１５の前面より前に移動しなければならず、この場合に取付板２２が取り付け時と同様に大きく弾性変形し、押圧片が強く前壁部１５を押す状態となり、故意に化粧部材２０を動かさないかぎり、このような状態とすることができない。
【００５９】
したがって、化粧部材２０の荷重や、台風時等の強風によって、樋８ｄから化粧部材２０が外れることはない。したがって、前壁部１５に取り付けられた状態で、取付板２２の弾性変形量が僅かなため、化粧部材本体２１と取付板２２との間で前壁部１５を挟む力はそれほど大きくないが、取り外そうとすると大きな弾性力が作用する状態となり、実質的に故意に化粧部材２０を取り外そうとしない限り、化粧部材２０を前壁部１５から取り外すことはできない。
【００６０】
なお、樋８ｄの左右量端部には、雨水が流れ出すのを防止するように、樋８ｄ両端の開口を塞ぐようにキャップ部材が取り付けられる。そして、このキャップ部材が樋８ｄに取り付けられた化粧部材２０の左右への移動を防止するので、化粧部材２０が前壁部１５を挟む力と、キャップ部材とによって、化粧部材２０の前壁部１５に対する左右移動も規制される。
【００６１】
以上のことから、長尺な建材に化粧部材２０と取り外し不可に容易に取り付けることが可能となる。
なお、本発明の化粧部材２０は、簡易屋根１の前枠８に設けれた樋８ｄを装飾するものに限られるものではなく、通常の屋根の樋に取り付けることも可能であり、かつ、一方の側縁部にほぼ直角に後壁部１４が設けられれ、他方の側縁部が開放した状態の前壁部１５を有する構造ならば、樋以外の建材にも取り付け可能である。また、水平に配置される建材でだけでなく、鉛直方向に配置される建材にも取り付け可能である。
また、通常断面Ｌ字状となる前壁部１５と後壁部１４が設けられることがない形状の建材に、前壁部１５と後壁部１４を設け、本発明の化粧部材２０を取り付け可能としてもよい。
【図面の簡単な説明】
【００６２】
【図１】本発明の実施の形態に係る化粧部材が取り付けられる前枠を有する簡易屋根を示す要部断面図である。
【図２】前記簡易屋根の前枠を示す断面図である。
【図３】前記化粧部材を示す側面図である。
【図４】前記化粧部材の取付板を示す側面図、正面図、底面図である。
【図５】前記化粧部材が取り付けられる前記簡易屋根とは異なる簡易屋根の前枠を示す断面図である。
【図６】前記前枠への化粧部材の取付工程を説明するための図である。
【図７】前記前枠への化粧部材の取付工程を説明するための図である。
【図８】前記前枠への化粧部材の取付工程を説明するための図である。
【図９】前記前枠への化粧部材の取付工程を説明するための図である。
【符号の説明】
【００６３】
８        前枠（建材）
８ｄ      樋（建材）
１４      後壁部
１５      前壁部
２０      化粧部材
２１      化粧部材本体
２２      取付板
３１      係合片
４０      押圧片
４４      係止片
【図１】
2008214874.tif 000003
【図２】
2008214874.tif 000004
【図３】
2008214874.tif 000005
【図４】
2008214874.tif 000006
【図５】
2008214874.tif 000007
【図６】
2008214874.tif 000008
【図７】
2008214874.tif 000009
【図８】
2008214874.tif 000010
【図９】
2008214874.tif 000011